(57)【要約】      （修正有）【課題】  複数の装置を効率的に使用するメディアプレゼンテーションを制作するためのシステムおよび方法を提供する。【解決手段】  メディアプレゼンテーションを制作するためのシステムおよび方法は、メディアプレゼンテーション装置に関連付けられるホットスポットとして定義される部分を有するメディアプレゼンテーション環境表示を含む。様々な実施形態は統合プレゼンテーション制作プレビューシステムを含む。該方法は、メディアプレゼンテーション環境でプレゼンテーションユニット用の物理的装置を選択し、プレゼンテーションユニットの視覚的表示を操作し、プレゼンテーションユニットの表示内容を記録し、拡張現実環境、仮想現実環境、またはその両方でプレゼンテーションをプレビューすることを含む。様々な実施形態は、複数の種類のメディアプレゼンテーション装置および複数の各種類の装置で動作する。【選択図】  図８
2005209196.tif 000002
【特許請求の範囲】
【請求項１】
メディアプレゼンテーション環境表示であって、前記メディアプレゼンテーション環境表示の一部が特定のメディアプレゼンテーション装置に関連付けられるホットスポットとして定義される、メディアプレゼンテーション環境表示
を備えた、メディアプレゼンテーション制作システム。
【請求項２】
前記メディアプレゼンテーション環境表示がメディアプレゼンテーション環境の絵画的表示である、請求項１に記載のメディアプレゼンテーション制作システム。
【請求項３】
前記メディアプレゼンテーション環境表示が、メディアプレゼンテーション環境の少なくとも一部分の複数の表示を含む、請求項１に記載のメディアプレゼンテーション制作システム。
【請求項４】
メディアプレゼンテーション制作インタフェースを表示手段に表示させるインターフェース装置であって、
前記インターフェースは、
ハイパースライドリスト部と、
アニメーション順序リスト部と、
ハイパースライドプレビュー部と
メディアプレゼンテーション環境表示部と
を備え、
前記メディアプレゼンテーション環境表示部が特定のメディアプレゼンテーション装置に対応するホットスポットとして定義される部分を含む、
メディアプレゼンテーション制作インタフェース装置。
【請求項５】
前記インターフェースが粒度レベル選択部をさらに備えた、請求項４に記載のメディアプレゼンテーション制作インタフェース装置。
【請求項６】
前記メディアプレゼンテーション環境表示部がメディアプレゼンテーション環境の絵画的表示である、請求項４に記載のメディアプレゼンテーション制作インタフェース装置。
【請求項７】
前記メディアプレゼンテーション環境表示がメディアプレゼンテーション環境の複数の表示を含む、前記請求項４に記載のメディアプレゼンテーション制作インタフェース装置。
【請求項８】
前記メディアプレゼンテーション環境表示部が、複数の特定のメディアプレゼンテーション装置に対応するホットスポットとして定義される複数の部分を含む、請求項４に記載のメディアプレゼンテーション制作インタフェース装置。
【請求項９】
メディアプレゼンテーション制作インタフェースを表示手段に表示させるインターフェース装置であって、
前記インターフェースは、
メディアプレゼンテーション環境表示部と、
ハイパースライドリストウィジェット部と、
メディアプレゼンテーション制作ウィジェット部と
を備え、
前記メディアプレゼンテーション環境表示部が特定のメディアプレゼンテーション装置に関連付けられるホットスポットとして定義される部分を含み、
前記ハイパースライドリストウィジェット部がメディアプレゼンテーションで使用されるハイパースライドを指定する一つまたはそれ以上のウィジェットを含み、
前記メディアプレゼンテーション制作ウィジェット部が特定のメディアプレゼンテーション装置に関連付けられる部分を含み、
前記メディアプレゼンテーション制作ウィジェット部がメディアプレゼンテーション中の特定の時間に関連付けられる部分を含む、
メディアプレゼンテーション制作インタフェース装置。
【請求項１０】
前記メディアプレゼンテーション環境表示部がメディアプレゼンテーション環境の絵画的表示を含む、請求項９に記載のメディアプレゼンテーション制作インタフェース装置。
【請求項１１】
前記メディアプレゼンテーション制作ウィジェット部が、メディアプレゼンテーションの二つ以上の時間部分に及ぶ一つまたはそれ以上のメディアプレゼンテーション制作ウィジェットを含む、請求項９に記載のメディアプレゼンテーション制作インタフェース装置。
【請求項１２】
前記一つまたはそれ以上のメディアプレゼンテーション制作ウィジェットが、調整可能な長さを有するバーである、請求項１１に記載のメディアプレゼンテーション制作インタフェース装置。
【請求項１３】
前記インターフェースがメディアプレゼンテーション装置リスト部をさらに備えた、請求項９に記載のメディアプレゼンテーション制作インタフェース装置。
【請求項１４】
ユーザがメディアプレゼンテーション環境表示部のホットスポットと、メディアプレゼンテーション装置リスト部にリストされたメディアプレゼンテーション装置との間に関連付けを定義する、請求項１３に記載のメディアプレゼンテーション制作インタフェース装置。
【請求項１５】
前記メディアプレゼンテーション環境表示部が、複数の特定メディアプレゼンテーション装置に対応するホットスポットとして定義される複数の部分を含む、請求項９に記載のメディアプレゼンテーション制作インタフェース装置。
【請求項１６】
メディアプレゼンテーション環境表示内でプレゼンテーションユニット用の物理的装置を選択し、
前記プレゼンテーションユニットの視覚的表示を操作し、
プレゼンテーションユニットの表示内容を記憶装置に記録し、
プレゼンテーションをプレビューすること
を含む、メディアプレゼンテーションを制作するための方法。
【請求項１７】
前記操作することが、コンピュータおよび前記メディアプレゼンテーション環境表示内でプレゼンテーションユニットと対話することを含む、請求項１６に記載のメディアプレゼンテーションを制作するための方法。
【請求項１８】
前記物理的装置がメディアプレゼンテーション環境の一部である、請求項１６に記載のメディアプレゼンテーションを制作するための方法。
【請求項１９】
前記操作することが、前記プレゼンテーションユニットの視覚的表示を統合プレゼンテーション制作環境またはファイルディレクトリからドラッグし、前記物理的装置の表示上でドロップすることを含む、請求項１６に記載のメディアプレゼンテーションを制作するための方法。
【請求項２０】
前記物理的装置が、ディスプレイ、プロジェクタ、プリンタ、拡声スピーカ、ライト、ファクシミリ機、コンピュータ、テープレコーダ、ビデオレコーダ、カメラ、ファン、送風機、スプリンクラ、水栓、および立体プロジェクタを含むリストから選択される、請求項１６に記載のメディアプレゼンテーションを制作するための方法。
【請求項２１】
前記プレゼンテーションユニットが、デジタルファイル、サウンド、オーディオセグメント、ビデオセグメント、ストリーミングビデオ信号、ストリーミングオーディオ信号、ライト点灯動作、ライト消灯動作、減光動作、増光動作、テキストボックス、画像、ディスプレイオン動作、ディスプレイオフ動作、プロジェクタオン動作、プロジェクタオフ動作、印刷動作、ディスプレイを明るくする動作、ディスプレイを暗くする動作、ファクシミリ送信動作、およびコンピュータ動作を含むリストから選択される、請求項１６に記載のメディアプレゼンテーションを制作するための方法。
【請求項２２】
前記プレビューすることが、拡張現実環境でプレゼンテーションをプレビューすることを含む、請求項１６に記載のメディアプレゼンテーションを制作するための方法。
【請求項２３】
前記プレビューすることが、仮想現実環境でプレゼンテーションをプレビューすることを含む、請求項１６に記載のメディアプレゼンテーションを制作するための方法。
【請求項２４】
前記プレビューすることが、拡張現実環境と仮想現実環境の組合せでプレゼンテーションをプレビューすることを含む、請求項１６に記載のメディアプレゼンテーションを制作するための方法。
【請求項２５】
前記プレビューすることが、グラフィックベースの仮想現実環境でプレゼンテーションをプレビューすることをさらに含む、請求項１６に記載のメディアプレゼンテーションを制作するための方法。
【請求項２６】
前記拡張現実環境が、前記メディアプレゼンテーション環境でプレゼンテーションを再生している間の前記メディアプレゼンテーション環境のビデオ表示である、請求項１６に記載のメディアプレゼンテーションを制作するための方法。
【請求項２７】
メディアプレゼンテーション環境内の複数のメディア装置に対応する複数のプレゼンテーションユニットに対し、前記選択、操作、および記録することを繰り返すことをさらに含む、請求項１６に記載のメディアプレゼンテーションを制作するための方法。
【請求項２８】
メディアプレゼンテーションプレビューインタフェースを表示手段に表示させるインターフェース装置であって、
前記インターフェースは、
メディアプレゼンテーション環境表示部と、
メディアプレゼンテーション移動部と
を備え、
メディアプレゼンテーションが前記メディアプレゼンテーション環境表示部に描かれた仮想現実環境でプレビューされ、
前記メディアプレゼンテーション移動部がメディアプレゼンテーションプレビューの流れを制御するために使用される、
メディアプレゼンテーションプレビューインタフェース装置。
【請求項２９】
前記インターフェースが、メディアプレゼンテーション概要部をさらに備えた、請求項２８に記載のメディアプレゼンテーションプレビューインタフェース装置。
【請求項３０】
前記プレビューされるメディアプレゼンテーションが、複数の種類のメディアプレゼンテーション装置を制御する、請求項２８に記載のメディアプレゼンテーションプレビューインタフェース装置。
【請求項３１】
前記プレビューされるメディアプレゼンテーションが複数の特定の種類の装置を制御する、請求項２８に記載のメディアプレゼンテーションプレビューインタフェース装置。
【請求項３２】
メディアプレゼンテーションプレビューインタフェースを表示手段に表示させるインターフェース装置であって、
前記インターフェースは、
メディアプレゼンテーション環境表示部と、
メディアプレゼンテーション移動部と
を備え、
メディアプレゼンテーションが前記メディアプレゼンテーション環境表示部に描かれた拡張現実環境でプレビューされ、
前記メディアプレゼンテーション移動部が前記メディアプレゼンテーションプレビューの流れを制御するために使用される、
メディアプレゼンテーションプレビューインタフェース装置。
【請求項３３】
前記インターフェースが、メディアプレゼンテーション概要部をさらに含む、請求項３２に記載のメディアプレゼンテーションプレビューインタフェース装置。
【請求項３４】
前記プレビューされるメディアプレゼンテーションが複数の種類のメディアプレゼンテーション装置を制御する、請求項３２に記載のメディアプレゼンテーションプレビューインタフェース装置。
【請求項３５】
前記プレビューされるメディアプレゼンテーションが複数の特定の種類の装置を制御する、請求項３２に記載のメディアプレゼンテーションプレビューインタフェース装置。
【請求項３６】
プレゼンテーション環境で物理的装置の実況ビデオを捕捉するカメラシステムと、
プレゼンテーション環境内の各物理的装置のモデルを含むプレゼンテーション環境モデルと、
前記カメラシステムまたは前記プレゼンテーション環境モデルと接続されるグラフィカルユーザインタフェース装置と
を備え、
前記プレゼンテーション環境モデルが二次元概略図、三次元概略図、三次元絵画画像、および二次元概略図と三次元概略図と三次元絵画画像の組合せを含むリストから選択される、
統合プレゼンテーション制作およびプレビューシステム。
【請求項３７】
前記プレゼンテーション環境が複数の種類のメディアプレゼンテーション装置を含む、請求項３６に記載の統合プレゼンテーション制作およびプレビューシステム。
【請求項３８】
前記プレゼンテーション環境が複数の特定の種類のメディアプレゼンテーション装置を含む、請求項３６に記載の統合プレゼンテーション制作およびプレビューシステム。
【請求項３９】
マスタコンピュータと、
一つまたはそれ以上のメディアプレゼンテーション装置に対応する一つまたはそれ以上の遠隔制御エージェントと
を備えた、請求項１に記載のメディアプレゼンテーション制作システムによって制作された制作メディアプレゼンテーションを再生するメディアプレゼンテーション再生システム。
【請求項４０】
マスタコンピュータと、
一つまたはそれ以上のメディアプレゼンテーション装置に対応する一つまたはそれ以上の遠隔制御エージェントと
を備えた、請求項４に記載のメディアプレゼンテーション制作インタフェース装置で制作された制作メディアプレゼンテーションを再生するメディアプレゼンテーション再生システム。
【請求項４１】
マスタコンピュータと、
一つまたはそれ以上のメディアプレゼンテーション装置に対応する一つまたはそれ以上の遠隔制御エージェントと
を備えた、請求項９に記載のメディアプレゼンテーション制作インタフェース装置で制作された制作メディアプレゼンテーションを再生するメディアプレゼンテーション再生システム。
【請求項４２】
マスタコンピュータと、
一つまたはそれ以上のメディアプレゼンテーション装置に対応する一つまたはそれ以上の遠隔制御エージェントと
を備えた、請求項１６に記載のメディアプレゼンテーションを制作するための方法によって制作された制作メディアプレゼンテーションを再生するメディアプレゼンテーション再生システム。
【請求項４３】
マスタコンピュータと、
一つまたはそれ以上のメディアプレゼンテーション装置に対応する一つまたはそれ以上の遠隔制御エージェントと
を備えた、請求項３６に記載の統合プレゼンテーション制作およびプレビューシステムで制作された制作メディアプレゼンテーションを再生するメディアプレゼンテーション再生システム。
【請求項４４】
メディアプレゼンテーション制作、プレビュー、および再生ソフトウェアコンポーネントと、
メディアプレゼンテーション装置に対応する一つまたはそれ以上の遠隔制御エージェントと
を備えた、請求項１に記載のメディアプレゼンテーション制作システムを含む統合メディアプレゼンテーション制作システム。
【請求項４５】
請求項４に記載のメディアプレゼンテーション制作インタフェースを含む、メディアプレゼンテーション制作、プレビュー、および再生ソフトウェアコンポーネントと、
メディアプレゼンテーション装置に対応する一つまたはそれ以上の遠隔制御エージェントと
を備えた統合メディアプレゼンテーション制作システム。
【請求項４６】
請求項９に記載のメディアプレゼンテーション制作インタフェースを含む、メディアプレゼンテーション制作、プレビュー、および再生ソフトウェアコンポーネントと、
メディアプレゼンテーション装置に対応する一つまたはそれ以上の遠隔制御エージェントと
を備えた統合メディアプレゼンテーション制作システム。
【請求項４７】
請求項１６に記載のメディアプレゼンテーションを制作するための方法を実行することができる、メディアプレゼンテーション制作、プレビュー、および再生ソフトウェアコンポーネントと、
メディアプレゼンテーション装置に対応する一つまたはそれ以上の遠隔制御エージェントと
を備えた統合メディアプレゼンテーション制作システム。
【請求項４８】
請求項３２に記載のメディアプレゼンテーションプレビューインタフェースを含む、メディアプレゼンテーション制作、プレビュー、および再生ソフトウェアコンポーネントと、
メディアプレゼンテーション装置に対応する一つまたはそれ以上の遠隔制御エージェントと
を備えた統合メディアプレゼンテーション制作システム。
【請求項４９】
メディアプレゼンテーション制作、プレビュー、および再生ソフトウェアコンポーネントと、
メディアプレゼンテーション装置に対応する一つまたはそれ以上の遠隔制御エージェントと
を備えた、請求項３６に記載の統合プレゼンテーション制作およびプレビューシステムを含む統合メディアプレゼンテーション制作システム。
【請求項５０】
コンピュータにメディアプレゼンテーションを制作させる処理を実行させるプログラムであって、前記プログラムはコンピュータに、
メディアプレゼンテーション環境表示内でプレゼンテーションユニット用の物理的装置を選択し、
前記プレゼンテーションユニットの視覚的表示を操作し、
プレゼンテーションユニットの表示内容を記憶装置に記録し、
プレゼンテーションをプレビューする
処理を実行させる、プログラム。
【発明の詳細な説明】
【技術分野】
【０００１】
本発明は、メディアプレゼンテーション（発表）を制作するためのシステム、方法、インターフェース装置、および統合システムに関する。
【背景技術】
【０００２】
メディアプレゼンテーションを制作（オーサリング：ａｕｔｈｏｒｉｎｇ）するのに用いられるツールは市販されている。メディアプレゼンテーションを制作するために利用可能な一つの人気のあるツールとして、マイクロソフト社のパワーポイント（PowerPoint（R））がある。パワーポイントは一連のスライドによるプレゼンテーションを編成し、テキスト編集、作図、音声および映像の埋込み、ならびにスライドアニメーションをサポートする。さらに、マイクロソフトプロデューサ（Microsoft Producer）は、一連のパワーポイントスライドを映像ストリームおよび画像と同期させて、オンデマンド（利用者の要求に応じて）メディアプレゼンテーションを生成することを可能にする（非特許文献２）。アップルコンピュータ社（非特許文献３）、マクロメディア社（非特許文献１）、およびインパクトエンジン社をはじめとするマイクロソフト社の競争者もまた、同様の製品を市場に出している。一部の他の市販のメディアプレゼンテーション製品は、ビデオストリームに関連メディアプレゼンテーションリンクを埋め込む。そのような製品を販売する会社の例としてデジタル・デザイン・ワークス（Digital Design Works）社およびビデオ・クリックス（VidioClix）社がある。
【０００３】
種々のシアターオートメーション（自動演出）ソフトウェアインタフェースも市販されている。現在市販されているシアターオートメーションソフトウェアインタフェースの一例として、バタルファ（Batalpha）社のフィガロ（Figaro）ソフトウェアがある（非特許文献４）。
【０００４】
市販の多くのメディアプレゼンテーションオーサリング（制作）製品は、一つの二次元ディスプレイのみおよび一つのオーディオ拡声スピーカのみをサポートするモデルに基づき、開発されている。プレゼンテーション環境に二つ以上の二次元ディスプレイ、二つ以上の拡声スピーカ、またはディスプレイおよびスピーカ以外の制御可能な装置が含まれる場合、この前提はかなりの制限となる。したがって、市販されているこれらのメディアプレゼンテーション制作製品は、メディア装置分散環境でのメディアプレゼンテーションを制作するのには不適切である。
【０００５】
多くの既存のプレゼンテーション制作ツールは、様々な装置の位置を認識してその情報を利用することができない。したがって、それらは、複数のディスプレイおよび拡声スピーカのような複数のプレゼンテーションチャネルを効率的に使用することができない。市販されている多くのメディアプレゼンテーション制作製品の主な欠点は、それらがマルチメディア装置の位置に基づくメディアプレゼンテーション制作をサポートすることができず、ライト、複数のディスプレイ、複数の拡声スピーカ、プリンタ、スプリンクラ、ファン、または他の種類のアーティキュレータのような複数のプレゼンテーションの使用を組み合わせて調整することもできないことである。
【０００６】
バタルファ社のフィガロ・ソフトウェアは、シアター（会場）カスタマイズを支援する能力を有するが、その環境におけるプレゼンテーション装置を参照するためのホットスポットを持つプレゼンテーション環境を描写するＧＵＩをユーザに提供しない。これらの種類のソフトウェアは、自分の作業環境に非常に通暁している専門家が複雑な動作シーケンスを作成するのに適している。しかし、それらは、プレゼンテーション環境に通暁していない普通のユーザには適さない。
【０００７】
マルチメディア装置が手ごろな値段になればなるほど、より多くの装置がメディアプレゼンテーション環境に設置されるようになるであろう。したがって、プレゼンテーション制作ツールが様々なメディア装置分散環境用のプレゼンテーションカスタマイズをサポートすると有益である。
【０００８】
ほとんどの市販のメディアプレゼンテーション制作製品は、従来の一ディスプレイおよび一拡声スピーカのモデルに基づいて、各メディアプレゼンテーションを作成することをユーザに要求する。したがって、様々なメディア装置のための出力を別個に作成しなければならない。
【０００９】
一部のメディアプレゼンテーション製品は、特定のポインタまたはタッチスクリーンのような特定の機器を用いて、スライドをディスプレイからディスプレイに移動させることをユーザに要求する。ほとんどのメディアプレゼンテーション制作製品は、メディアプレゼンテーション環境のモデルを持たない。さらに、ほとんどの市販のメディアプレゼンテーション制作製品は、一つの装置から別の装置へのスライドの移動をサポートしていない。ほとんどの市販のメディアプレゼンテーション制作製品は、特定のメディアプレゼンテーション環境内の様々な構成要素のプレゼンテーションをカスタマイズすることができない。
【００１０】
ほとんどの市販のメディアプレゼンテーション制作製品は、拡声スピーカの音量制御、または拡声スピーカのオン／オフ機能、またはライトの大きさ、またはライトのオン／オフ機能をサポートすることができない。同様に、ＭｏｄＳｌｉｄｅＳｈｏｗのような一部のメディアプレゼンテーション制作製品は、プレゼンテーションの進行中にプレゼンテーションの構成要素を効果的に再配置させるために、メディアプレゼンテーションのプレゼンタ（発表者）がプレゼンテーション全体の全ての様相をよく覚えておくことを要求する。
【００１１】
少なくとも上述した理由のため、ほとんどの市販のメディアプレゼンテーション制作製品は、一般的なユーザが不慣れな環境で多くのメディア装置を使用するプレゼンテーションをカスタマイズするのには不向きである。
【非特許文献１】「Directorの効果の理解」（"Understanding the Power of Directior", Macromedia - Director）２００３年；http://www.macromedia.com/software/director/resources/understanding/
【非特許文献２】「Producerの概要」（"Overview of Producer"） ２００２年８月３日；http://www.Microsoft.com/office/powerpoint/producer/overview.asp
【非特許文献３】「Keynoteの紹介」（"Presenting Keynote"., Apple - Keynote） ２００３年；http://www.apple.com/keynote
【非特許文献４】Batalpha, batalpha - Figaro Software, 公開日不明；http://www.batalpha.com/prodkt/en/product_figaro_software.shtml
【発明の開示】
【発明が解決しようとする課題】
【００１２】
本発明は、複数の装置を効率的に使用するメディアプレゼンテーションを制作するためのシステムおよび方法を提供する。
【００１３】
本発明は、所定のメディアプレゼンテーションに決して充分に通暁していないユーザに適した、メディアプレゼンテーションを制作するためのシステムおよび方法をそれぞれ別個に提供する。
【００１４】
本発明は、複数の画像スクリーンを含むメディアプレゼンテーションを制作するためのシステムおよび方法をそれぞれ別個に提供する。
【００１５】
本発明は、拡声スピーカの位置を考慮する、メディアプレゼンテーションを制作するためのシステムおよび方法をそれぞれ別個に提供する。
【００１６】
本発明は、複数の拡声スピーカを制御する、メディアプレゼンテーションを制作するためのシステムおよび方法をそれぞれ別個に提供する。
【００１７】
本発明は、複数の拡声スピーカをオンまたはオフのいずれにするかを制御する、メディアプレゼンテーションを制作するためのシステムおよび方法をそれぞれ別個に提供する。
【００１８】
本発明は、ライトを制御する、メディアプレゼンテーションを制作するためのシステムおよび方法をそれぞれ別個に提供する。
【００１９】
本発明は、ライトの光の大きさを制御する、メディアプレゼンテーションを制作するためのシステムおよび方法をそれぞれ別個に提供する。
【００２０】
本発明は、ライトをオンまたはオフのいずれにするかを制御するメディアプレゼンテーションを制作するためのシステムおよび方法をそれぞれ別個に提供する。
【００２１】
本発明は、プレゼンテーション環境のモデルを含む、メディアプレゼンテーションを制作するためのシステムおよび方法をそれぞれ別個に提供する。
【００２２】
本発明は、メディアプレゼンテーション環境の二つまたはそれ以上のプレゼンテーションが異なるメディアプレゼンテーションを制作するためのシステムおよび方法をそれぞれ別個に提供する。
【００２３】
本発明は、メディアプレゼンテーションの各要素の表示を含むメディアプレゼンテーションを制作するためのシステムおよび方法をそれぞれ別個に提供する。
【００２４】
本発明は、プレゼンテーションのどの要素でもグラフィカルユーザインタフェース装置の使用によりプレゼンテーション内で再配置することができる、メディアプレゼンテーションを制作するためのシステムおよび方法をそれぞれ別個に提供する。
【００２５】
本発明は、プレゼンテーション環境の表示が変更可能であるメディアプレゼンテーションを制作するためのシステムおよび方法をそれぞれ別個に提供する。
【００２６】
本発明は、複数の利用可能なメディアプレゼンテーション装置への参照をユーザに提供する、メディアプレゼンテーションを制作するためのシステムおよび方法をそれぞれ別個に提供する。
【００２７】
本発明は、利用可能なメディア装置の表示がプレゼンテーション環境のモデル内の画像である、メディアプレゼンテーションを制作するためのシステムおよび方法をそれぞれ別個に提供する。
【００２８】
本発明は、ユーザが装置の画像またはモデルに対して動作することによってメディア装置を選択する、メディアプレゼンテーションを制作するためのシステムおよび方法をそれぞれ別個に提供する。
【００２９】
本発明は、ユーザが選択したメディア装置の出力をカスタマイズすることができる、メディアプレゼンテーションを制作するためのシステムおよび方法をそれぞれ別個に提供する。
【００３０】
本発明は、プレゼンテーション環境で利用可能な全てのメディア装置が制御される、メディアプレゼンテーションを制作するためのシステムおよび方法をそれぞれ別個に提供する。
【００３１】
本発明は、新たに開発されたメディア装置および既存のメディア装置の進歩に適応させるための、メディア装置の変更が可能である、メディアプレゼンテーションを制作するためのシステムおよび方法をそれぞれ別個に提供する。
【００３２】
本発明は、プレゼンテーション環境におけるプレゼンテーション装置を参照するホットスポットを備えたプレゼンテーション環境を描写するグラフィカルユーザインタフェースをユーザに提供する、メディアプレゼンテーションを制作するためのシステムおよび方法をそれぞれ別個に提供する。
【００３３】
本発明は、複数の出力装置に対応する出力シーケンス（一連の出力）を管理し、こうして複数のメディアプレゼンテーション装置の各々のメディアプレゼンテーションシーケンスを作成し、メディアプレゼンテーションの再生またはプレビュー中にメディアプレゼンテーションシーケンスの全てを同期させる、メディアプレゼンテーションを制作するためのシステムおよび方法をそれぞれ別個に提供する。
【００３４】
本発明は、複数チャネルのメディアプレゼンテーションを管理するメディアプレゼンテーションを制作するためのシステムおよび方法をそれぞれ別個に提供する。
【課題を解決するための手段】
【００３５】
上記課題を解決するために、請求項１に記載の発明は、メディアプレゼンテーション環境表示であって、前記メディアプレゼンテーション環境表示の一部が特定のメディアプレゼンテーション装置に関連付けられるホットスポットとして定義される、メディアプレゼンテーション環境表示を備えたことを特徴とする。
【００３６】
請求項４に記載の発明は、メディアプレゼンテーション制作インタフェースを表示手段に表示させるインターフェース装置であって、前記インターフェースは、ハイパースライドリスト部と、アニメーション順序リスト部と、ハイパースライドプレビュー部と、メディアプレゼンテーション環境表示部とを備え、前記メディアプレゼンテーション環境表示部が特定のメディアプレゼンテーション装置に対応するホットスポットとして定義される部分を含むことを特徴とする。
【００３７】
請求項９に記載の発明は、メディアプレゼンテーション制作インタフェースを表示手段に表示させるインターフェース装置であって、前記インターフェースは、メディアプレゼンテーション環境表示部と、ハイパースライドリストウィジェット部と、メディアプレゼンテーション制作ウィジェット部とを備え、前記メディアプレゼンテーション環境表示部が特定のメディアプレゼンテーション装置に関連付けられるホットスポットとして定義される部分を含み、前記ハイパースライドリストウィジェット部がメディアプレゼンテーションで使用されるハイパースライドを指定する一つまたはそれ以上のウィジェットを含み、前記メディアプレゼンテーション制作ウィジェット部が特定のメディアプレゼンテーション装置に関連付けられる部分を含み、前記メディアプレゼンテーション制作ウィジェット部がメディアプレゼンテーション中の特定の時間に関連付けられる部分を含むことを特徴とする。
【００３８】
請求項１６に記載の発明は、メディアプレゼンテーションを制作するための方法であって、メディアプレゼンテーション環境表示内でプレゼンテーションユニット用の物理的装置を選択し、前記プレゼンテーションユニットの視覚的表示を操作し、プレゼンテーションユニットの表示内容を記憶装置に記録し、プレゼンテーションをプレビューすることを含むことを特徴とする。
【００３９】
請求項２８に記載の発明は、メディアプレゼンテーションプレビューインタフェースを表示手段に表示させるインターフェース装置であって、前記インターフェースは、メディアプレゼンテーション環境表示部と、メディアプレゼンテーション移動部とを備え、メディアプレゼンテーションが前記メディアプレゼンテーション環境表示部に描かれた仮想現実環境でプレビューされ、前記メディアプレゼンテーション移動部がメディアプレゼンテーションプレビューの流れを制御するために使用されることを特徴とする。
【００４０】
請求項３２に記載の発明は、メディアプレゼンテーションプレビューインタフェースを表示手段に表示させるインターフェース装置であって、前記インターフェースは、メディアプレゼンテーション環境表示部と、メディアプレゼンテーション移動部とを備え、メディアプレゼンテーションが前記メディアプレゼンテーション環境表示部に描かれた拡張現実環境でプレビューされ、前記メディアプレゼンテーション移動部が前記メディアプレゼンテーションプレビューの流れを制御するために使用されることを特徴とする。
【００４１】
請求項３６に記載の発明は、統合プレゼンテーション制作およびプレビューシステムであって、プレゼンテーション環境で物理的装置の実況ビデオを捕捉するカメラシステムと、プレゼンテーション環境内の各物理的装置のモデルを含むプレゼンテーション環境モデルと、前記カメラシステムまたは前記プレゼンテーション環境モデルと接続されるグラフィカルユーザインタフェース装置とを備え、前記プレゼンテーション環境モデルが二次元概略図、三次元概略図、三次元絵画画像、および二次元概略図と三次元概略図と三次元絵画画像の組合せを含むリストから選択されることを特徴とする。
【００４２】
請求項４４に記載の発明は、請求項１に記載のメディアプレゼンテーション制作システムを含む統合メディアプレゼンテーション制作システムであって、メディアプレゼンテーション制作、プレビュー、および再生ソフトウェアコンポーネントと、メディアプレゼンテーション装置に対応する一つまたはそれ以上の遠隔制御エージェントとを備えたことを特徴とする。
【００４３】
請求項５０に記載の発明は、コンピュータにメディアプレゼンテーションを制作させる処理を実行させるプログラムであって、前記プログラムはコンピュータに、メディアプレゼンテーション環境表示内でプレゼンテーションユニット用の物理的装置を選択し、前記プレゼンテーションユニットの視覚的表示を操作し、プレゼンテーションユニットの表示内容を記憶装置に記録し、プレゼンテーションをプレビューする処理を実行させることを特徴とする。
【００４４】
本発明に係るメディアプレゼンテーションを制作するためのシステムおよび方法の様々な例示的実施形態は、特定のメディアプレゼンテーション装置に関連付けられるホットスポットを有するメディアプレゼンテーション環境表示を含む。
【００４５】
本発明に係るメディアプレゼンテーションを制作するためのシステムおよび方法の様々な例示的実施形態は、メディアプレゼンテーション環境表示部、ハイパースライドリスト部、メディアプレゼンテーション構成要素時間関係部、およびメディアプレゼンテーション装置リスト部を含む。
【００４６】
本発明に係るメディアプレゼンテーションを制作するためのシステムおよび方法の様々な例示的実施形態では、メディアプレゼンテーション環境表示におけるプレゼンテーションユニットのための物理的装置が選択され、プレゼンテーションユニットの視覚的表示が操作され、プレゼンテーションユニットの表示内容（ディスプレイ）が記憶媒体に記録され、プレゼンテーションがプレビューされる。様々な例示的実施形態では、プレゼンテーションは拡張現実環境、仮想現実環境、またはこれらを組み合わせた環境でプレビューされる。
【発明の効果】
【００４７】
本発明により、複数種類の複数メディア装置を有する環境において、これら複数の装置を効率的に使用するメディアプレゼンテーションを制作することができる。
【発明を実施するための最良の形態】
【００４８】
本発明のこれらおよび他の特徴および利点は、本発明に係るシステムおよび方法の様々な例示的実施形態についての以下の詳細な説明で説明し、そこから明らかである。
【００４９】
本発明のシステムおよび方法の様々な例示的実施形態を、添付の図面に関連して詳細に説明する。
【００５０】
本発明に係るメディアプレゼンテーション制作システムおよび方法の様々な例示的実施形態の以下の詳細な説明では、明確にするために、一つまたはそれ以上の特定の種類のメディアプレゼンテーション制作システムおよび方法について言及する。しかし、以下で概説しかつ／または考察する本発明の原理は、公知のまたは今後開発されるメディアプレゼンテーション制作システムのいずれにも等しく適用することができることを理解されたい。
【００５１】
図１は、市販のメディアプレゼンテーション制作インタフェース１０の概略図である。図１に示すように、メディアプレゼンテーション制作インタフェース１０は、アニメーション順序およびタイミングウィジェット部１２、アニメーションスライドオブジェクトリストおよび選択ウィジェット部１４、アニメーション開始ウィジェット部１６、例えばアニメーション順序およびタイミングウィジェット部１２に対応する幾つかのコントロールタブ１８、スライドオブジェクトプレビュー部２０、プレビュー起動ウィジェット部２２、キャンセルウィジェット部２４、および起動選択ウィジェット部２６を含む。アニメーションスライドオブジェクトリストおよび選択ウィジェット部１４は、スライドオブジェクトを選択し、スライドオブジェクトを動画（アニメーション）化するために使用される。アニメーション順序およびタイミングウィジェット部１２は、プレゼンテーションにおけるアニメーションスライドオブジェクトの順序およびタイミングを制御するために使用される。アニメーション順序およびタイミングウィジェット部１２は、「順序とタイミング」と表示されたコントロールタブ１８を選択すると表示される。アニメーションユニットの順序は、ウィジェット２８を使用して選択されたアニメーションオブジェクトをプレゼンテーション内で前または後に移動することによって、スライド内で再配置される。
【００５２】
アニメーション開始ウィジェット部１６は、アニメーションが開始される方法を制御するために使用される。他のコントロールタブ１８は、効果、チャート効果、およびマルチメディア設定のようなメディアプレゼンテーションの他の様相を制御するために使用される。
【００５３】
スライドオブジェクトプレビュー部２０は、アニメーションスライドオブジェクトリストおよび選択ウィジェット部１４で選択されたスライドオブジェクトの内容のプレビューを表示する。プレビュー起動ウィジェット部２２は、スライドに関係付けられるいずれかの効果またはアニメーションを含め、スライドのプレビューを起動するために使用される。
【００５４】
キャンセルウィジェット部２４は、メディアプレゼンテーション制作インタフェース１０で行なわれた全ての変更を取り消すために使用される。同様に、起動選択ウィジェット部２６は、メディアプレゼンテーション制作インタフェース１０で行なわれた全ての変更を受け入れるために使用される。
【００５５】
メディアプレゼンテーション制作インタフェース１０は、複数のディスプレイおよび拡声スピーカのような複数のプレゼンテーションチャネルを使用することはできない。したがって、メディアプレゼンテーション制作インタフェース１０は、複数のマルチメディア装置の位置に基づくメディアプレゼンテーション制作をサポートすることができない。同様に、メディアプレゼンテーション制作インタフェース１０は、ライト、複数のディスプレイ、複数の拡声スピーカ、プリンタ、スプリンクラ、ファン、または他の種類のアーティキュレータのような複数の種類のプレゼンテーション装置の使用を組み合わせて調整することができない。
【００５６】
図２は、本発明に係るインターフェース装置が表示手段に表示させるメディアプレゼンテーション制作インタフェース４０の一つの例示的実施形態の概略図である。メディアプレゼンテーション制作インタフェース４０は、再生ウィジェット４４、記録ウィジェット４６、停止ウィジェット４８、新イベントウィジェット５０、ドラッグ＆ドロップウィジェット５２、およびプレゼンテーション環境表示部５４を含む。
【００５７】
様々な例示的実施形態において、メディアプレゼンテーション制作インタフェース４０は、一つまたはそれ以上のハイパースライドを制作し、準備し、または形成する。ハイパースライドは任意の粗なメディアプレゼンテーションユニット（単位）である。ハイパースライドは通常のスライドの延長である。それは、いずれのメディアプレゼンテーションで使用されるいずれの形のメディアをも表す基本的メディアプレゼンテーションユニットである。したがって、様々な例示的実施形態で、ハイパースライドはビジュアルスライド、画像、ビデオセグメントまたはクリップ、オーディオセグメント、実況カメラまたはマイクロホンからのストリーミングビデオまたはオーディオ信号、ライト調整動作またはコマンド、拡声スピーカ調整動作またはコマンド、あるいはメディアプレゼンテーション中に行なうことが望まれるいずれかの他のメディア形式またはメディア動作の種類をも表す。ライト調整および拡声スピーカ調整動作は、光または拡声スピーカの音量または強さの調整、あるいはライトまたは拡声スピーカをオンまたはオフにする動作を含む。本明細書で議論する様々な例示的実施形態は、例えばさまざまなアーティキュレータに関連付けられるさまざまな機能をはじめ、他の種類のハイパースライドを含む。したがって、ハイパースライドは、メディアプレゼンテーション装置によってレンダリングまたは完成される入力元またはオブジェクトである。
【００５８】
様々な例示的実施形態で、メディアプレゼンテーション制作インタフェース４０は、ハイパースライドを編集し、ハイパースライドの再生リストを記録し（つまり一つまたはそれ以上のハイパースライドを記録し）、および／または一つまたはそれ以上のハイパースライドを再生するために使用される。様々な例示的実施形態で、記録ウィジェット４６は、ハイパースライドの再生リストの記録を開始するために動作される。様々な例示的実施形態で、ハイパースライドは、コンピュータデスクトップ（例えばファイル管理ウィンドウ）から、メディアプレゼンテーション環境表示部５４に表示された関連メディアプレゼンテーション装置の部分まで、ハイパースライドをドラッグすることによって再生される。
【００５９】
したがって、本発明に係るシステムおよび方法の様々な例示的実施形態で、ビデオセグメントハイパースライドは、指定のビデオセグメントハイパースライドを、例えばコンピュータデスクトップ上のファイル管理ウィンドウから、メディアプレゼンテーション環境表示部５４に描かれたビデオプレゼンテーションスクリーンへドラッグすることによって再生される。本発明に係るメディアプレゼンテーションを制作するためのシステムおよび方法の様々な例示的実施形態で、ビデオセグメントハイパースライドは、一つまたはそれ以上のビデオスクリーン５６、５７、および５８に表示される。本発明に係るメディアプレゼンテーションを制作するためのシステムおよび方法の様々な例示的実施形態で、ビデオスクリーン５６、５７、および５８はメディアプレゼンテーション環境表示部５４内に示される。
【００６０】
本発明に係るメディアプレゼンテーションを制作するためのシステムおよび方法の様々な例示的実施形態では、ハイパースライド内のいずれの種類のメディアも、そのハイパースライドの標識を例えばコンピュータデスクトップ上のファイル管理ウィンドウから、指定されたハイパースライドに関連付けられた動作または内容を再生、実行、または表示するメディア装置に対応するメディアプレゼンテーション環境表示部５４の部分にドラッグすることによって再生される。
【００６１】
本発明に係るメディアプレゼンテーションを制作するためのシステムおよび方法の様々な例示的実施形態では、別個のハイパースライドに新しいイベントを記録することが望ましいときに、新イベントウィジェット５０が動作される。新イベントウィジェット５０が動作された後、本発明に係る様々な例示的実施形態では、ハイパースライドは次いで編集され、保存される。
【００６２】
本発明に係る様々な例示的実施形態では、停止ウィジェット４８が動作されると、ハイパースライド再生リスト記録セッションが終了する。同様に、本発明に係る様々な例示的実施形態では、再生ウィジェット４４が起動されると、所望のハイパースライド再生リストに従って以前に記録された一連のハイパースライドが再生される。
【００６３】
したがって、メディアプレゼンテーション制作インタフェース４０は、メディアプレゼンテーションの制作およびプレビューを行なうための拡張現実インタフェースの一実施形態を表す。
【００６４】
図３は、本発明に係るインターフェース装置が表示手段に表示させるメディアプレゼンテーション制作インタフェースの第二の例示的実施形態の概略図である。メディアプレゼンテーション制作インタフェース６０は、粒度レベル選択部６２およびメディアプレゼンテーション環境表示部６４を含む。この図中の要素の一部は、他の図に関連して前述した要素と共通の番号が付されている。これらの要素の重複説明は、簡潔にするために省く。
【００６５】
メディアプレゼンテーション環境表示部６４に描かれたメディアプレゼンテーション環境は、メディアプレゼンテーション環境表示部５４に描かれたメディアプレゼンテーション環境に対応する。しかし、メディアプレゼンテーション環境表示部６４に描かれたメディアプレゼンテーション環境は、メディアプレゼンテーション環境の絵画的（pictorial）表示を含む。本発明に係るメディアプレゼンテーションを制作するためのシステムおよび方法の様々な例示的実施形態では、メディアプレゼンテーション環境表示がメディアプレゼンテーション環境の絵画的表示である、メディアプレゼンテーション環境表示が含まれる。メディアプレゼンテーション環境表示部６４は、メディアプレゼンテーション環境の概略図表示を含む。本発明に係るメディアプレゼンテーションを制作するためのシステムおよび方法の様々な例示的実施形態では、メディアプレゼンテーション環境表示がメディアプレゼンテーション環境の概略図表示である、メディアプレゼンテーション環境表示が含まれる。
【００６６】
メディアプレゼンテーション環境表示部６４に描かれる概略図的メディアプレゼンテーション環境は、ビデオスクリーン５６、５７、および５８、プリンタ６６、拡声スピーカ６８、ならびにライト６９を含む。
【００６７】
メディアプレゼンテーション環境表示部６４に描かれたメディアプレゼンテーション環境は、四つの拡声スピーカ６８、一つのプリンタ６６、六つのライト６９、ならびに三つのビデオスクリーン５６、５７、および５８を含む。メディアプレゼンテーション環境表示部６４に描かれたメディアプレゼンテーション環境がメディアプレゼンテーション環境の一つに非常に特定的な実施形態に対応するものであり、かつ現在公知であるか今後開発されるかに関係なく、任意の種類のメディアプレゼンテーション装置の数および／または位置および／または有無を変化させることにより、メディアプレゼンテーション環境の多数の変形が可能であることは明らかである。したがって、多くのメディアプレゼンテーション環境が多数の異なる種類のメディアプレゼンテーション装置を含むことは明らかである。同様に、多くのメディアプレゼンテーション環境が多数の任意の種類のプレゼンテーション装置を含むことは明らかである。したがって、メディアプレゼンテーション環境表示部６４に描かれたメディアプレゼンテーション環境は、多数の変動するメディアプレゼンテーション環境の代表である。
【００６８】
本発明に係るメディアプレゼンテーションを制作するためのシステムおよび方法の様々な例示的実施形態では、メディアプレゼンテーションインタフェース６０は、統合プレゼンテーション制作ツール用のポップアップダイアログボックスとして設計される。本発明の様々な例示的実施形態では、メディアプレゼンテーションインタフェース６０が、グラフィカルユーザインタフェースを表示するいずれの公知または今後開発される手段によってでもユーザに表示されることは明らかである。
【００６９】
メディアプレゼンテーション環境表示部６４に描かれた線図的メディアプレゼンテーション環境は、例示的メディアプレゼンテーション環境の二次元表示である。メディアプレゼンテーション環境表示部５４に描かれたメディアプレゼンテーション環境は、同じ例示的メディアプレゼンテーション環境の三次元表示である。本発明の様々な例示的実施形態には、メディアプレゼンテーション環境の二次元表示を描くメディアプレゼンテーション環境表示が含まれる。本発明の様々な例示的実施形態では、メディアプレゼンテーション環境の三次元表示を描くメディアプレゼンテーション環境表示が含まれる。本発明の様々な例示的実施形態では、メディアプレゼンテーション環境がメディアプレゼンテーション環境の様々な部分の二次元および三次元表示の組合せとして描かれる、一つまたはそれ以上のメディアプレゼンテーション環境表示が含まれる。
【００７０】
本発明の様々な例示的実施形態では、メディアプレゼンテーションインタフェース６０は、メディアプレゼンテーションインタフェース６０に対応する標識（インジケータ）を選択することによって起動される。したがって、本発明の様々な例示的実施形態では、メディアプレゼンテーションインタフェース６０は、プルダウンメニュからラベルを選択することによって起動される。本発明の様々な例示的実施形態では、ユーザは、プルダウンメニュの「カスタムアニメーション」ラベルを選択することによって、メディアプレゼンテーションインタフェース６０を起動する。
【００７１】
本発明の様々な例示的実施形態では、現在選択されているハイパースライドがハイパースライド表示部（スライドオブジェクトプレビュー部）２０に表示される。
【００７２】
本発明の様々な例示的実施形態には、粒度レベル選択部６２が含まれる。メディアプレゼンテーションインタフェース６０では、粒度レベル選択部６２は、メディアプレゼンテーション環境表示部６４と、メディアプレゼンテーション制作インタフェース１０に対応する上部との間に配置される。本発明の様々な例示的実施形態では、粒度レベル選択部６２はメディアプレゼンテーションインタフェース６０内の異なる位置に配置される。
【００７３】
様々な例示的実施形態では、粒度レベル選択部６２は粒度レベル選択ウィジェット６３を含む。様々な例示的実施形態では、粒度レベル選択ウィジェットはバーである。本発明の様々な例示的実施形態では、粒度レベル選択ウィジェット６３は、粒度レベルを選択するようなイベントを開始するためのいずれかの公知または今後開発されるグラフィカルユーザインタフェースの形式を取る。
【００７４】
粒度レベルは、メディアプレゼンテーションの内容に関する詳細表示レベルに対応する。したがって、様々な例示的実施形態では、粗レベルの粒度は、メディアプレゼンテーションにおけるハイパースライドのリストに対応し、微細レベルの粒度はテキストボックス、タイトル、または埋込みオブジェクトのような全てのプレゼンテーションユニットに対応し、そのようなメディアアニメーションユニットの順序をリストする。本発明の様々な例示的実施形態では、粒度レベル選択部６２は、粒度の１つまたは複数のレベルを表現する１つまたは複数のラベルを含む。様々な例示的実施形態では、粒度レベル選択部６２は、粒度レベルを表現するラベル「微細」および「粗」を含む。様々な例示的実施形態では、粒度レベル選択ウィジェット６３では三つ以上の粒度レベルを選択することができる。
【００７５】
三つ以上の粒度レベルを選択することができる様々な例示的実施形態では、一方の極値と他方の極値との間の各粒度レベルの詳細レベルは、前述した粒度レベルの二つの極値の間で設定される。したがって、様々な例示的実施形態では、一つの粒度レベルは、一つのグラフィカルユーザインタフェースのリストのプレゼンテーション内の全てのハイパースライドの表示、および別個のグラフィカルユーザインタフェースにリストされたハイパースライドのアニメーション順序に対応する。様々な例示的実施形態では、メディアアニメーションユニットの順序およびメディアアニメーションユニットの他の性質は、粒度レベル選択ウィジェット６３でも選択を変更することによって修正される。
【００７６】
図３に示した例示的実施形態の追加的態様のさらなる詳細については、図４に関連して以下で述べる。
【００７７】
図４は、本発明に係るインターフェース装置が表示手段に表示させるメディアプレゼンテーション制作インタフェースの第三の例示的実施形態の概略図である。この図中の一部の要素は、他の図に関連して前述した要素と共通の番号が付されている。これらの要素の重複説明は、簡潔にするために省く。
【００７８】
図４は、メディアプレゼンテーション環境表示部７２を含むメディアプレゼンテーション制作インタフェース７０を示す。メディアプレゼンテーション環境表示部７２は、メディアプレゼンテーション環境のマルチビュー絵画的表示である。メディアプレゼンテーション環境表示部７２は、メディアプレゼンテーション環境の正面からの表示７４およびメディアプレゼンテーション環境の背面からの表示７６を含む。様々な例示的実施形態では、表示がメディアプレゼンテーション環境の正面部分およびメディアプレゼンテーション環境の背面部分の表示に分割された、メディアプレゼンテーション環境の三次元表示が含まれる。様々な例示的実施形態では、表示がメディアプレゼンテーション環境の複数の部分の表示に分割された、メディアプレゼンテーション環境の三次元表示が含まれる。
【００７９】
メディアプレゼンテーションインタフェース６０および７０は、部分６４および７６で実際のメディアプレゼンテーション環境に関する実際の情報を含むメディアプレゼンテーション環境の表示をユーザに提示する。したがって、本発明に係るメディアプレゼンテーションを制作するためのシステムおよび方法の様々な例示的実施形態には、メディアプレゼンテーションが行なわれる実際の環境に対応するメディアプレゼンテーション環境表示を備えたメディアプレゼンテーションインタフェースが含まれる。
【００８０】
本発明に係るメディアプレゼンテーションを制作するためのシステムおよび方法の様々な例示的実施形態では、ユーザは、例えばメディアプレゼンテーションインタフェース６０または７０のようなメディアプレゼンテーションインタフェースを使用して、様々なメディアプレゼンテーションユニットの時間的関係、効果、および／または別の特徴を定義する。本発明に係るメディアプレゼンテーションを制作するためのシステムおよび方法の様々な例示的実施形態では、メディアプレゼンテーションユニットは、そのメディアプレゼンテーション用にカスタマイズされたインタフェースにより編集される。したがって、様々な例示的実施形態で、プレゼンテーションユニットとしての役割を果たすメディアプレゼンテーション装置が何らかの方法で選択される。
【００８１】
図３および４に示した実施形態では、大きい中央のビデオスクリーン５７はホットスポット５９に関して選択可能である。ホットスポット５９はグラフィカルユーザインタフェースの一部分である。ホットスポットは出力装置の視覚的表示として定義される。様々な例示的実施形態で、出力装置はディスプレイ、拡声スピーカ、プリンタ、ライト、ファン、または本明細書で示すか、さもなければ現在公知または今後開発される、メディアプレゼンテーション装置の他の任意の実施形態である。例示的ホットスポット５９のようなホットスポットは、ユーザがプレゼンテーション環境に分散された様々な装置を参照するのに有用である。
【００８２】
様々な例示的実施形態で、ホットスポットは破線で示される。しかし、後述するように、様々な例示的実施形態で、破線は、多少異なるが対応する意味を有する。したがって、様々な例示的実施形態で、ホットスポットはプレゼンテーション環境部６４、７６の定義された一部分であるが、その境界線の視覚的表示を伴わない。様々な例示的実施形態で、ホットスポットの境界線は、プレゼンテーション環境部６４、７６内の対応するメディア装置の視覚的画像に対応するように定義される。
【００８３】
様々な例示的実施形態で、スライド、ビデオセグメント、およびビデオスクリーン上の表示に適した他のメディアプレゼンテーションのためのプレゼンテーションユニットとして働く大きい中央のスクリーン５７は、ホットスポット５９によって示されたグラフィカルユーザインタフェースの部分に対して動作することによって選択される。様々な例示的実施形態で、ホットスポット５９は、ホットスポット５９と定義されたグラフィカルユーザインタフェースの部分内でマウスをクリックすることによって選択される。
【００８４】
ホットスポット５９は、任意の形式のホットスポットの一例である。したがって、様々な例示的実施形態で、ホットスポット５９に匹敵するホットスポットにはライト６９、拡声スピーカ６８、およびプリンタ６６が含まれる。同様にして、様々な例示的実施形態で、任意に与えられらメディアプレゼンテーション環境内の各メディアプレゼンテーション要素に対して、ホットスポットが定義される。同様に、様々な例示的実施形態で、ウィジェットに対して動作または選択するためのいずれかの公知または今後開発される方法を使用して、ホットスポットに対応するメディアプレゼンテーション装置が起動または選択される。
【００８５】
図１、３、および４は、スライドオブジェクトリストおよび選択ウィジェット部１４で、ユーザが現在「テキスト５」と題するスライドで作業していることを示す。様々な例示的実施形態で、ユーザが作業しているハイパースライドがメインディスプレイに表示される。様々な例示的実施形態で、選択されたディスプレイは、スライドオブジェクトプレビュー部２０に対応する。図１、３、および４で、テキスト５のタイトルを有するオブジェクトがスライドアニメーション順序およびタイミングウィジェット部１２内で強調表示されていることからも、ユーザがテキスト５と題するメディアプレゼンテーションオブジェクトで作業していることが明らかである。
【００８６】
様々な例示的実施形態で、ホットスポット５９の破線の輪郭線は、スライドオブジェクトリストおよび選択ウィジェット部１４および／またはスライドアニメーション順序およびタイミングウィジェット部１２で強調表示されているハイパースライドを表示するために使用されるメディアプレゼンテーション装置に対応する。本発明に係るメディアプレゼンテーションを制作するためのシステムおよび方法の様々な例示的実施形態で、メディアプレゼンテーション環境表示部６４または７６内に一度に一つのホットスポットだけに破線で輪郭線が描かれる。したがって、様々な例示的実施形態で、グラフィカル表示がメディアプレゼンテーションインタフェース６０、７０内に提供されることにより、メディアプレゼンテーション装置をハイパースライドに対応させる関係が示される。
【００８７】
図５は、本発明に係るインターフェース装置が表示手段に表示させるメディアプレゼンテーション制作インタフェースの第四の例示的実施形態の概略図である。この図中の要素の一部は、他の図に関連して前述した要素と共通の番号が付されている。これらの要素の重複説明は、簡潔にするために省く。メディアプレゼンテーションインタフェース８０は、メディアプレゼンテーション環境表示部８２、ハイパースライドリストウィジェット部８４、およびメディアプレゼンテーション制作ウィジェット部８６を含む。
【００８８】
メディアプレゼンテーション環境表示部８２は、メディアプレゼンテーション環境の三次元の概略表示を含む。メディアプレゼンテーション環境表示部５４および７２とは異なり、三次元メディアプレゼンテーション環境表示部８２は、メディアプレゼンテーション環境の絵画的表示を含まない。様々な例示的実施形態で、ユーザは、例えば図５に示す例示的実施形態のような三次元モデルで、任意の方向からのメディアプレゼンテーション環境の表示を要求する。
【００８９】
本発明に係るメディアプレゼンテーションを制作するためのシステムおよび方法の様々な例示的実施形態で、メディアプレゼンテーション環境の三次元概略表示を含むメディアプレゼンテーション環境表示を有するメディアプレゼンテーションインタフェースが提供される。本発明に係るメディアプレゼンテーションを制作するためのシステムおよび方法の様々な例示的実施形態で、メディアプレゼンテーション環境の三次元概略および二次元概略の組合せを含むメディアプレゼンテーション環境表示を含むメディアプレゼンテーションインタフェースが提供される。
【００９０】
本発明に係るメディアプレゼンテーションを制作するためのシステムおよび方法の様々な例示的実施形態で、メディアプレゼンテーション環境の二次元および三次元概略表示の組合せおよび、メディアプレゼンテーション環境の三次元絵画的表示を有する、メディアプレゼンテーション環境表示を含むメディアプレゼンテーションインタフェースが提供される。様々な例示的実施形態で、現在公知または今後開発されるメディアプレゼンテーション環境の任意の形式の表示が使用されることを理解されたい。同様に、様々な例示的実施形態で、現在公知または今後開発されるメディアプレゼンテーション環境の表示の任意の組合せが使用されることを理解されたい。
【００９１】
様々な例示的実施形態で、メディアプレゼンテーション環境表示部８２は、アドレス８８を含む。様々な例示的実施形態で、アドレス８８は、メディアプレゼンテーション環境表示部８２に対応する内容が位置する場所を指定する。
【００９２】
様々な例示的実施形態で、メディアプレゼンテーション環境表示部８２は、オリエンテーション（指向）ウィジェット９０を含む。様々な例示的実施形態で、オリエンテーションウィジェット９０は、メディアプレゼンテーション環境表示部８２内の視野の向きを指示するために使用される。したがって、様々な例示的実施形態で、オリエンテーションウィジェット９０はスクロールバーである。様々な例示的実施形態で、メディアプレゼンテーション環境表示部８２に表示されたメディアプレゼンテーション環境の向きを変更するイベントを開始することができる、現在公知または今後開発されるウィジェットが使用されることを理解されたい。
【００９３】
図５のメディアプレゼンテーション環境表示部８２に示したメディアプレゼンテーション環境の斜視図では、ディスプレイスクリーン５６、５７および５８が見える。メディアプレゼンテーション制作ウィジェット部８６は三つの列を含む。列は左ディスプレイ、メインディスプレイ、および右ディスプレイとラベル付けされている。これらの三つのラベルは、ビデオスクリーン５６、５７および５８によって示されるディスプレイに対応する記述的ラベルである。さらに具体的には、メディアプレゼンテーション制作ウィジェット部８６のディスプレイ左の列は、ビデオスクリーン５６に対応する。同様に、メディアプレゼンテーション制作ウィジェット部８６のディスプレイメインの列は、ビデオスクリーン５７に対応する。同様に、メディアプレゼンテーション制作ウィジェット部８６のディスプレイ右の列は、ビデオスクリーン５８に対応する。
【００９４】
様々な例示的実施形態で、メディアプレゼンテーション制作ウィジェット部８６はまた、順序番号の列をも含む。順序番号のこの列は、メディアプレゼンテーション内の離散的な時間に対応する。各昇順番号の単位は、列のより小さい番号の単位の後に続く時間に対応する。メディアプレゼンテーションの時間は、プレゼンテーションの状態に対応する。
【００９５】
様々な例示的実施形態で、メディアプレゼンテーション制作ウィジェット部８６は、ハイパースライドウィジェット９２を含む。各個別のハイパースライドウィジェット９２は、メディアプレゼンテーションにおける所与のハイパースライドに対応する。様々な例示的実施形態で、ハイパースライドウィジェット９２はハイパースライドの内容を視覚的に示す。
【００９６】
様々な例示的実施形態で、メディアプレゼンテーション制作ウィジェット部８６は、選択指示部９４を含む。図示では、選択指示部９４は、メディアプレゼンテーションの時間３の選択を示している。様々な例示的実施形態で、メディアプレゼンテーション制作ウィジェット部８６のメディアプレゼンテーションの選択された部分は、選択されたハイパースライドウィジェット９２を、メディアプレゼンテーション環境表示部８２で、選択されたハイパースライド９２の列に示されたものに対応するメディアプレゼンテーション装置に表示させる。したがって、図示した実施形態では、時間３の最左端のハイパースライドが、メディアプレゼンテーション環境表示部８２で左のビデオスクリーン５６に表示される。同様に、メディアプレゼンテーション制作ウィジェット部８６の時間３の中央のハイパースライド９２は、メディアプレゼンテーション環境表示部８２で中央のビデオスクリーン５７に示される。同様に、メディアプレゼンテーション制作ウィジェット部８６の時間３の最右端のハイパースライド９２は、メディアプレゼンテーション環境表示部８２で最右端のビデオスクリーン５８に示される。
【００９７】
様々な例示的実施形態で、メディアプレゼンテーション制作ウィジェット部８６の列の数は、メディアプレゼンテーションインタフェース８０によって制御されるメディアプレゼンテーション装置の数に対応する。様々な例示的実施形態で、メディアプレゼンテーション制作ウィジェット部８６は、メディアプレゼンテーション装置に対応する列の全てを同時に表示する。様々な例示的実施形態で、メディアプレゼンテーション制作ウィジェット部８６は、利用可能な列の一部を表示する。
【００９８】
様々な例示的実施形態で、メディアプレゼンテーション制作ウィジェット部８６は、メディアプレゼンテーション制作ウィジェット部における表示のために一つまたはそれ以上のメディアプレゼンテーション装置の列を表示するためのオリエンテーションウィジェットを含む。様々な例示的実施形態で、メディアプレゼンテーション制作ウィジェット部８６は、オリエンテーションウィジェット９０のようなスクロールバーであるオリエンテーションウィジェットを含む。様々な例示的実施形態で、メディアプレゼンテーション制作ウィジェット部８６が、メディアプレゼンテーション制作ウィジェット部における表示のために一つまたはそれ以上のメディアプレゼンテーション装置の列を表示するための、任意の現在公知または今後開発される形のグラフィカルユーザインタフェースによるオリエンテーションウィジェットを含むことは明らかであろう。
【００９９】
また、ハイパースライドウィジェット９２は、様々な例示的実施形態で、アニメーションスライドオブジェクトリストおよび選択ウィジェット部１４に示されているようなチェックボックスであり、関連するハイパースライドオブジェクトプレビュー部はスライドプレビュー部２０と同様であることも明らかであろう。同様に、ハイパースライドの内容を選択し描くための任意の現在公知または今後開発されるウィジェットが、本発明に係るメディアプレゼンテーションを制作するためのシステムおよび方法の様々な例示的実施形態で、メディアプレゼンテーション制作ウィジェット部８６に組み込まれることは明らかであろう。
【０１００】
様々な例示的実施形態で、ハイパースライドリストウィジェット部８４は、ハイパースライドウィジェット９２を含む。様々な例示的実施形態で、メディアプレゼンテーションに含まれる全てのハイパースライドのためのハイパースライドウィジェット９２が、ハイパースライドリストウィジェット部８４に含まれる。様々な例示的実施形態で、ハイパースライドリストウィジェット部８４は、ハイパースライドリストウィジェット部８４に任意の一時に表示される一つまたはそれ以上のハイパースライド９２より多数のハイパースライド９２から、一つまたはそれ以上のハイパースライド９２の表示を選択するためのオリエンテーションウィジェットをさらに含む。様々な例示的実施形態で、ハイパースライドリストウィジェット部８４は、オリエンテーションウィジェット９０の場合に示したようなスクロールバーであるオリエンテーションウィジェットを含む。
【０１０１】
様々な例示的実施形態で、メディアプレゼンテーション制作ウィジェット部８６に表示される列の数は可変である。様々な例示的実施形態で、ユーザは、表示される列を選択することによって、メディアプレゼンテーション制作ウィジェット部８６に表示される列の数を決定する。様々な例示的実施形態で、ユーザは、メディアプレゼンテーション環境表示部８２内のメディアプレゼンテーション装置に対応するウィジェットに対して動作することによって、メディアプレゼンテーション制作ウィジェット部８６に表示される列を選択する。したがって、様々な例示的実施形態で、例えばビデオディスプレイスクリーン５７に対応するホットスポットをクリックすることによって、メインディスプレイに対応する列がメディアプレゼンテーション制作ウィジェット部８６に追加される。さらに、様々な例示的実施形態で、メディアプレゼンテーション制作ウィジェット部８６に表示される列の数は、ユーザによって開始されるイベントに応答して動的に増減する。
【０１０２】
様々な例示的実施形態で、ユーザは、ハイパースライド９２をハイパースライドリストウィジェット部８４から、そのハイパースライドの内容を希望するメディアプレゼンテーションのメディア装置および時間に対応するメディアプレゼンテーション制作ウィジェット部８６内の列および行にドラッグすることによって、メディアプレゼンテーションを編成する。本発明に係るメディアプレゼンテーションを制作するためのシステムおよび方法の様々な例示的実施形態で、メディアプレゼンテーションは、メディアプレゼンテーション制作ウィジェット部８６内の一つの位置からメディアプレゼンテーション制作ウィジェット部８６の別の位置にハイパースライド９２をコピーまたは移動することによって、さらに配列可能である。様々な例示的実施形態で、ハイパースライド９２の移動は、ハイパースライド９２をドラッグしてドロップすることによって達成される。
【０１０３】
様々な例示的実施形態で、ハイパースライド９２は、メディアプレゼンテーションインタフェース８０のコピーおよび／またはカットアンドペースト機能を起動することによって、移動またはコピーされる。ウィジェットを移動またはコピーするための任意の現在公知または今後開発されるシステムまたは方法を様々な例示的実施形態で使用して、ハイパースライド９２が、ハイパースライドリストウィジェット部８４またはメディアプレゼンテーション制作ウィジェット部８６の一つの位置から、別の位置に移動またはコピーされることは明らかであろう。
【０１０４】
様々な例示的実施形態で、メディアプレゼンテーション制作ウィジェット部８６で、行を選択する機能を実行し、次いでその行の内容をメディアプレゼンテーション制作ウィジェット部８６の別の位置にカットまたはペーストする機能を実行することによって、行全体が移動可能である。したがって、様々な例示的実施形態で、メディアプレゼンテーションのタイミングをメディアプレゼンテーション制作ウィジェット部８６内で再配列することができる。同様に、様々な例示的実施形態で、メディアプレゼンテーション制作ウィジェット部８６内のハイパースライド９２の任意の考えられる幾何学的組合せまたは形状を選択し、次いでメディアプレゼンテーション制作ウィジェット部８６内の一つの位置から別の位置へコピーするか、またはカットしてペーストすることができる。様々な例示的実施形態で、一つまたはそれ以上のウィジェットを選択するため、およびグラフィカルユーザインタフェース内の一つの位置から別の位置へウィジェットをコピーするかまたはカットしてペーストするための、任意の現在公知または今後開発されるシステムまたは方法が、本発明で使用されることは明らかであろう。
【０１０５】
幾つか上述した例示的実施形態または類似の実施形態のいずれかに関連して、ユーザは再生リストを編集する。再生リストとは、特定の状態ｔで装置ｈがハイパースライドｓを再生することを定義する、状態インデックスｔ、ホットスポットｈ、およびハイパースライドｓの関連付けである。したがって、様々な例示的実施形態で、マルチチャネルメディアプレゼンテーション用の再生リストは、状態インデックスのキーと関連付けられた順位付けリストである。本発明に係るシステムおよび方法の様々な例示的実施形態で、複数のハイパースライドがそれぞれの出力装置に結び付けられかつ関連付けられて、様々な例示的実施形態で再生機能によって再生される再生リストが形成される。
【０１０６】
この要領で、様々な例示的実施形態で、ユーザは、メディアプレゼンテーション環境表示部８２に見ることができるメディア装置でメディアプレゼンテーションをプレビューするように、メディアプレゼンテーション制作ウィジェット部８６内で選択部９４を徐々に方向付ける。
【０１０７】
様々な例示的実施形態で、本発明に係るメディアプレゼンテーションを制作するためのシステムおよび方法は、任意の種類のハイパースライド９２を特定のメディアプレゼンテーション装置に関連付けるための機能を含む。したがって、例えば、様々な例示的実施形態で、テキストスライドまたはビデオクリップを含むハイパースライド９２が作成されるときに、第１の（プライマリ）メディアプレゼンテーション装置、例えばビデオスクリーンがそのハイパースライド９２に関連付けられるものと定義される。この要領で、様々な例示的実施形態で、テキストスライドまたはビデオクリップであるハイパースライド９２がそれらの作成直後にメインディスプレイスクリーン５７に関連付けられる。
【０１０８】
様々な例示的実施形態で、ユーザはハイパースライド９２の異なるメディア装置との関連付けを再定義する。例えば、様々な例示的実施形態で、ハイパースライド９２の異なるメディア装置との関連付けを再定義するために、ユーザは、所望のメディア装置に関連付けられたホットスポットに対して動作することによって、ハイパースライドのメディア装置との関連付けを再定義する。したがって、例えば、様々な例示的実施形態で、ユーザは、ハイパースライドリストウィジェット部８４および／またはメディアプレゼンテーション制作ウィジェット部８６で一つまたはそれ以上の所望のハイパースライド９２を選択し、次いで例えばメディアプレゼンテーション環境表示８２でメインディスプレイスクリーン５７を取り囲む破線５９によって示されるホットスポットでマウスをクリックする。
【０１０９】
様々な例示的実施形態で、プレゼンテーション環境の全ての制御可能な装置は、プレゼンテーション環境表示６４、７２、８２でホットスポットにマッピングされる。
【０１１０】
図６は、本発明に係るインターフェース装置が表示手段に表示させるメディアプレゼンテーション制作インタフェースの第五の例示的実施形態の概略図である。図６は、ハイパースライドリストウィジェット部１０２、メディア装置リストウィジェット部１０４、メディアプレゼンテーション環境表示部１０６、およびメディアプレゼンテーション装置‐時間表ウィジェット部１０８（制作部）を含むメディアプレゼンテーションインタフェース１００を示す。様々な例示的実施形態で、メディアプレゼンテーション環境表示部１０６は、メディアプレゼンテーション環境の正面図表示１１０およびメディアプレゼンテーション環境の背面図表示１１２を含む。様々な例示的実施形態で、メディアプレゼンテーション環境の正面図表示１１０およびメディアプレゼンテーション環境の背面図表示１１２は、メディアプレゼンテーション装置に関連付けられた番号を含む。
【０１１１】
様々な例示的実施形態で、メディアプレゼンテーション装置‐時間表ウィジェット部１０８は、メディアプレゼンテーション環境表示部１０６で各メディアプレゼンテーション装置に関連付けられた番号に従った各メディアプレゼンテーション装置の行を含む。様々な例示的実施形態で、メディアプレゼンテーション装置‐時間表ウィジェット部１０８は、メディアプレゼンテーションの離散的な時間、つまりメディアプレゼンテーションの状態に対応する列を含む。様々な例示的実施形態で、メディアプレゼンテーション装置‐時間表ウィジェット部１０８はウィジェット１１４を含む。様々な例示的実施形態で、メディアプレゼンテーション装置に対応する行とメディアプレゼンテーション中の特定の時間に対応する列を横断するウィジェット１１４の存在は、メディアプレゼンテーション中のその時間にそのメディアプレゼンテーション装置が起動することを示す。
【０１１２】
様々な例示的実施形態で、ウィジェット１１４はバーである。様々な例示的実施形態で、ウィジェット１１４を表すバーの長さは、バーの端部をドラッグアンドドロップすることによって変更可能である。同様に、様々な例示的実施形態で、メディアプレゼンテーションの様相は、メディアプレゼンテーション装置‐時間表ウィジェット部１０８内でウィジェット１１４をドラッグしてドロップし、コピーし、かつ／またはカットおよびペーストすることによって、変更可能である。
【０１１３】
様々な例示的実施形態で、メディアプレゼンテーション装置‐時間表ウィジェット部１０８は、メディアプレゼンテーションで使用される全てのメディア装置およびメディアプレゼンテーションの全ての時間を一度に見ることができる表示を含む。
【０１１４】
様々な例示的実施形態で、メディアプレゼンテーション装置‐時間表ウィジェット部１０８にはオリエンテーションウィジェット１１６が含まれる。様々な例示的実施形態で、オリエンテーションウィジェット１１６はスクロールバーである。様々な例示的実施形態で、オリエンテーションウィジェット１１６は、メディアプレゼンテーション装置‐時間表ウィジェット部１０８の表示領域外のメディアプレゼンテーションの部分を表示するために使用される。本発明に係るメディアプレゼンテーションを制作するためのシステムおよび方法の様々な例示的実施形態で、オリエンテーションウィジェット１１６はいずれかの現在公知または今後開発される形態を取り得ることが明らかであろう。
【０１１５】
様々な例示的実施形態で、メディアプレゼンテーション環境表示部１０６はメディアプレゼンテーション環境の三次元表示である。様々な例示的実施形態で、メディアプレゼンテーション環境表示部１０６はメディアプレゼンテーション環境の二次元表示である。様々な例示的実施形態で、メディアプレゼンテーション環境表示部１０６はメディアプレゼンテーション環境の写真表示である。様々な例示的実施形態で、メディアプレゼンテーション環境表示部１０６はメディアプレゼンテーション環境の線図表示である。様々な例示的実施形態で、メディアプレゼンテーション環境表示部１０６はメディアプレゼンテーション環境の一部分の二つ以上の表示を含む。様々な例示的実施形態で、メディアプレゼンテーション環境表示部１０６には上記の任意の組合せが含まれる。
【０１１６】
様々な例示的実施形態で、メディアプレゼンテーション装置リストウィジェット部１０４は、一つまたはそれ以上のメディアプレゼンテーション装置ウィジェット１１８を含む。様々な例示的実施形態で、各メディアプレゼンテーション装置ウィジェット１１８は特定のメディアプレゼンテーション装置に対応する。様々な例示的実施形態で、メディアプレゼンテーション装置はディスプレイ、拡声スピーカ、カメラ、プリンタ、ライト、または任意の現在公知または今後開発されるメディアプレゼンテーション装置である。
【０１１７】
ハイパースライドリストウィジェット部１０２はハイパースライドウィジェット１２０を含む。様々な例示的実施形態で、各ハイパースライドはそれ自身のハイパースライドウィジェット１２０を含む。様々な例示的実施形態で、ハイパースライドリストウィジェット部１０２は、全ての利用可能なハイパースライド用のハイパースライドウィジェット１２０を表示する。様々な例示的実施形態で、ハイパースライドリストウィジェット部１０２は、メディアプレゼンテーションに利用可能なハイパースライドの一部分だけを表示するハイパースライドウィジェット１２０を表示する。したがって、様々な例示的実施形態で、ハイパースライドリストウィジェット部１０２はオリエンテーションウィジェット１２２を含む。様々な例示的実施形態で、オリエンテーションウィジェット１２２はスクロールバーである。様々な例示的実施形態で、オリエンテーションウィジェット１２２は、グラフィカルユーザインタフェースで向きを変更することができる、任意の現在公知または今後開発されるウィジェットである。
【０１１８】
様々な例示的実施形態で、ホットスポットは、各メディア装置についてメディアプレゼンテーション環境表示部１０６で定義される。様々な例示的実施形態で、ユーザはマウスでホットスポットの境界線をマーク付けすることによって、メディアプレゼンテーション環境表示部１０６でホットスポットを定義する。様々な例示的実施形態で、ユーザは、所望の種類のメディア装置に対応するメディア装置ウィジェット１１８を、メディア装置リストウィジェット部１０４からメディアプレゼンテーション環境表示部１０６の定義されたホットスポットにドラッグすることによって、メディアプレゼンテーション環境表示部１０６内のホットスポットに関連付けられるメディア装置の種類を定義する。様々な例示的実施形態で、ユーザは、ハイパースライドをハイパースライドリストウィジェット部１０２から、メディアプレゼンテーション環境表示部１０６で定義されたホットスポットにドラッグする。様々な例示的実施形態で、ユーザがハイパースライドをハイパースライドリストウィジェット部１０２からメディアプレゼンテーション環境表示部１０６内のホットスポットにドラッグすると、そのハイパースライドウィジェット１２０に対応するハイパースライドについて、関連付けられたメディアディスプレイ装置に対応する行にウィジェット１１４が追加される。様々な例示的実施形態で、ユーザは次いで、メディアプレゼンテーション装置‐時間表ウィジェット部１０８でウィジェット１１４を調整することによって、選択されたハイパースライドの表示開始および終了時間を調整する。
【０１１９】
上述の要領で、例えば様々な例示的実施形態で、装置‐時間表に書き込み、それを完成することによって、マルチチャネルメディアプレゼンテーションが制作される。したがって、様々な例示的実施形態で、例えばパワーポイントスライドのような全てのハイパースライドのために、個々のハイパースライド表示が生成される。様々な例示的実施形態で、生成されたハイパースライド表示は、プレゼンテーションを制作する間のドラッグアンドドロップ操作に使用される。本発明の様々な例示的実施形態で、プレゼンテーションを制作する間のドラッグアンドドロップ操作は、例えばパワーポイントスライドのような様々なハイパースライド用の一連のＪＰＥＧ形式（．ｊｐｇ）のサムネール画像を生成することによって達成される。したがって、本発明に係るシステムおよび方法の様々な例示的実施形態で、ハイパースライドはＪＰＥＧ画像にマッピングされ、その逆もしかりである。
【０１２０】
本発明に係る様々な例示的実施形態で、ハイパースライドは自然ファイルシステム（natural file-system）のファイルである。様々な例示的実施形態で、例えば実況ビデオカメラおよびマイクロホンのような一部の入力元は、自然ファイルシステムファイルではない。したがって、本発明に係る様々な例示的実施形態で、特定のハイパースライドを表すアイコンファイル（iconic file）が導入される。様々な例示的実施形態で、特定のハイパースライドを表すアイコンファイルの導入は、ドラッグアンドドロップ機構の一貫したセマンティクスを維持するために行なわれる。したがって、様々な例示的実施形態で、ユーザはカメラを通常のファイルとして取り扱い、カメラを表すアイコンファイルをプレゼンテーション環境表示部５４、６４、７２、８２、または１０６のディスプレイホットスポットにドラッグすることによって、カメラから送られる実況ビデオをディスプレイに表示する。
【０１２１】
図７は、本発明に係るインターフェース装置が表示手段に表示させるメディアプレゼンテーションシミュレーションインタフェースの例示的実施形態の概略図である。メディアプレゼンテーションシミュレーションインタフェース１３０は、実際のメディアプレゼンテーション環境で完全に制作されたメディアプレゼンテーションの試験を容易にするように設計された、メディアプレゼンテーションシミュレーションインタフェースである。多くの場合、メディアプレゼンテーションを制作した後でそれを試験して、プレゼンテーションが希望通りに動作することを確認することが有益であることは明らかである。
【０１２２】
メディアプレゼンテーションインタフェース１３０は、メディアプレゼンテーション環境表示部１３２、メディアプレゼンテーション概要（アウトライン）部１３４、およびメディアプレゼンテーション移動ウィジェット部１３６を含む。様々な例示的実施形態で、メディアプレゼンテーション概要部１３４は、メディアプレゼンテーションのリスト指定部分を含む。様々な例示的実施形態で、メディアプレゼンテーション概要部１３４は、メディアプレゼンテーションのリスト指定部分の一部分を強調表示する強調表示部１３８を含む。
【０１２３】
様々な例示的実施形態で、メディアプレゼンテーション移動ウィジェット部１３６は一つまたはそれ以上の移動ウィジェット１４０を含む。様々な例示的実施形態で移動ウィジェット１４０は矢印である。様々な例示的実施形態で、移動ウィジェットはメディアプレゼンテーションの次および前の時間部分への移動を制御する。様々な例示的実施形態で、メディアプレゼンテーションの次および前の時間部分は、メディアプレゼンテーション制作ウィジェット部８６または１０８のようなメディアプレゼンテーション制作ウィジェット部の列または行に対応する。様々な例示的実施形態で、任意の現在公知または今後開発される移動ウィジェットが移動ウィジェット１４０に使用されることは明らかである。
【０１２４】
様々な例示的実施形態で、メディアプレゼンテーション環境表示部１３２は、メディアプレゼンテーションをシミュレートするシミュレーションビデオを生成する。様々な例示的実施形態で、メディアプレゼンテーション環境表示部１３２は、制作されたメディアプレゼンテーションの画像を関連付けられたメディアプレゼンテーション装置に対応する部分に合成により追加することによって、メディアプレゼンテーションのシミュレーションビデオを生成する。
【０１２５】
様々な例示的実施形態で、プレビュー機能はプレゼンタに、メディアプレゼンテーションを改訂するための有用なフィードバックを提供する。様々な例示的実施形態で、プレビュー機能はオフラインで作動する。すなわち、様々な例示的実施形態で、プレビュー機能は実際のメディアプレゼンテーション環境現場に接続されない。様々な例示的実施形態で、プレビュー機能はオンラインで作動する。すなわち、様々な例示的実施形態で、プレビュー機能は実際のメディアプレゼンテーション環境現場に接続される。本発明の様々な例示的実施形態で、次のプレビューオプション、すなわちレンダリング画像シーケンスモード、ＶＲＭＬモード、および実況ビデオモードを含むが、それらに限定されない、幾つかのプレビューオプションが提供される。
【０１２６】
本発明の様々な例示的実施形態で、プレゼンテーションプレビュー機能の動作中に、レンダリング画像シーケンスモードは、該当する場合、プレゼンテーション環境表示部の関連メディアプレゼンテーション装置のホットスポットの領域に、ハイパースライドの画像をレンダリングする。本発明の様々な例示的実施形態で、ホットスポットにハイパースライドの画像をレンダリングすると、例えば実際のメディアプレゼンテーション環境現場で実際のメディアプレゼンテーション中に関連メディアプレゼンテーション装置に表示されるレンダリング画像のような、メディアプレゼンテーションの対応する部分が示される。
【０１２７】
本発明の様々な例示的実施形態で、プレゼンテーションプレビュー機能の動作中に、ＶＲＭＬモードは、メディアプレゼンテーションの三次元モデルプレビューをユーザに提供する。様々な例示的実施形態で、ＶＲＭＬモードのプレゼンテーションプレビューは、プレゼンテーション環境の絵画的画像を三次元モデルに置換する。様々な例示的実施形態で、ＶＲＭＬモードのプレゼンテーションプレビューは、ユーザがプレゼンテーション効果を観察する視点を変更することを可能にする。様々な例示的実施形態で、ユーザはポップアップメニューにより、プレゼンテーション効果を観察する視点を変更する。様々な例示的実施形態で、ユーザはプレゼンテーションプレビューでズームインおよびズームアウト機能も実行する。様々な例示的実施形態で、ユーザは、ＶＲＭＬモードのプレゼンテーションプレビューの様々な実施形態の様々な機能および特徴を用いて、制作したメディアプレゼンテーションの詳細および概観を検査する。
【０１２８】
本発明の様々な例示的実施形態で、実況ビデオモードによるプレゼンテーションプレビュー機能の動作中に、プレゼンテーション環境表示部は、実際のメディアプレゼンテーション環境会場に取り付けられたカメラによって捕捉された実況ビデオを映写する。したがって、様々な例示的実施形態で、メディアプレゼンテーションのプレゼンタは、一つまたはそれ以上のメディアプレゼンテーションの実際の効果として、メディアプレゼンテーションの希望する部分をリアルタイムで見る。したがって、様々な例示的実施形態で、本発明のシステムおよび方法は、実況ビデオモードで電話会議ツールとして使用される。したがって、様々な例示的実施形態で、実況ビデオモードでのプレゼンテーションプレビューで、プレゼンテーションのプレゼンタは、遠隔地の視聴者に、視聴者から遠く離れた実際のメディアプレゼンテーション環境会場の実況ビデオを見ることを含めた、実況メディアプレゼンテーションを提供する。
【０１２９】
様々な例示的実施形態で、プレビュー機能は、本明細書で記載するメディアプレゼンテーション制作インタフェースの例示的実施形態を含むがそれらに限定されない、メディアプレゼンテーション制作インタフェースの任意の実施形態に含まれる。
【０１３０】
本発明に係るメディアプレゼンテーションを制作するためのシステムおよび方法の様々な例示的実施形態で、メディアプレゼンテーションシステムはメディアプレゼンテーション環境に直接接続され、ユーザはメディアプレゼンテーション環境のメディア装置上でメディアプレゼンテーションを直接見ることができる。
【０１３１】
本発明に係るメディアプレゼンテーションを制作するためのシステムおよび方法の様々な例示的実施形態で、メディアプレゼンテーション構成要素時間関係部が、メディアプレゼンテーション制作部として使用される。本発明に係るメディアプレゼンテーションを制作するためのシステムおよび方法の様々な例示的実施形態で、本明細書で記載する例示的メディアプレゼンテーション環境表示部のようなメディアプレゼンテーション環境表示部が、メディアプレゼンテーション制作部として使用される。したがって、例えば、様々な例示的実施形態で、ハイパースライドがメディアプレゼンテーション環境表示部の関連メディアプレゼンテーション装置にドラッグされる。本発明に係るメディアプレゼンテーションを制作するためのシステムおよび方法の様々な例示的実施形態で、メディアプレゼンテーション構成要素時間関係部およびメディア環境表示部の両方がメディアプレゼンテーション制作部として使用される。
【０１３２】
本発明は、プレゼンタが、改善された魅力あるメディアプレゼンテーションのために、ハイパースライドまたはそれより小さいプレゼンテーションユニットを様々なディスプレイ上で容易に組み合わせて調整することを可能にする。本発明に係るメディアプレゼンテーションを制作するためのシステムおよび方法は、照明効果、周囲の音を含む音響効果、印刷効果、送風機、スプリンクラ、および他の特別に設計されたアーティキュレータ、立体プロジェクタ、遠隔サイトへの実況カメラ接続、および任意の他の現在公知または今後開発されるメディアプレゼンテーション装置または効果を制御することを可能にする。
【０１３３】
図８は、本発明に係るメディアプレゼンテーション制作方法の例示的実施形態である。ステップＳ１００から始まり、制御はステップＳ２００に進み、そこでメディアプレゼンテーション環境表示でのプレゼンテーションユニット用の物理的装置が選択される。次に、ステップＳ３００で、プレゼンテーションユニットの視覚的表示が操作される。次いで、ステップＳ４００で、プレゼンテーションユニットの表示内容（ディスプレイ）が記憶媒体に記録される。次いで動作はステップＳ４５０に続く。
【０１３４】
ステップＳ４５０で、他にのプレゼンテーションユニットが存在するかどうかの評価が実行される。評価の結果が、他にプレゼンテーションユニットが存在するという判定であった場合には、動作はステップＳ２００に戻り、他のプレゼンテーションユニットについてプロセスが繰り返される。ステップＳ４５０の評価の結果が、他にプレゼンテーションユニットが存在しないということであった場合、動作はステップＳ５００に続く。
【０１３５】
ステップＳ５００で、プレゼンテーションがプレビューされる。様々な例示的実施形態で、プレゼンテーションは拡張現実環境でプレビューされる。拡張現実環境とは、実世界と仮想世界が画像内で組み合わされた環境である。したがって、例えば、絵画的（pictorial）性質のプレゼンテーション環境の表示は、ホットスポット、破線アウトライン、円、数字、およびその上に合成される他の画像と組み合わされたときに、拡張現実を形成する。様々な例示的実施形態で、プレゼンテーションは仮想現実環境でプレビューされる。様々な例示的実施形態で、仮想現実環境はグラフィックスベースである。様々な例示的実施形態で、プレビュー表示は、シミュレートされたプレゼンテーション環境に表示されるシミュレートされたプレゼンテーションである。様々な例示的実施形態で、プレゼンテーションは、仮想現実環境および拡張現実環境の組合せを含む、シミュレートされたプレゼンテーション環境でプレビューされる。
【０１３６】
次いで制御はステップＳ６００に進み、そこで該方法の動作は停止する。
【０１３７】
図９は、本発明に従って制作されたメディアプレゼンテーションを再生するメディアプレゼンテーション再生モデルの例示的実施形態の概略図である。
【０１３８】
メディアプレゼンテーション再生モデル１４１はマスタコンピュータ１４２および遠隔（リモート）制御エージェント１４４、１４５、１４６および１４７を含む。遠隔制御エージェント１４４、１４５、１４６および１４７は、本明細書で示したメディアプレゼンテーション装置を含むがそれらに限定されない、いかなるメディアプレゼンテーション装置にも対応する。したがって、様々な例示的実施形態で、図９に示すように、遠隔制御エージェント１４４はディスプレイに対応し、遠隔制御エージェント１４５は拡声スピーカに対応し、遠隔制御エージェント１４６はプリンタに対応し、遠隔制御エージェント１４７は何らかの形態の照明に対応する。
【０１３９】
本発明に係るシステムおよび方法の様々な例示的実施形態で、本発明に関係するコンピュータプログラムはマスタコンピュータ１４２で動作する。様々な例示的実施形態で、マスタコンピュータ１４２は、制作されたメディアプレゼンテーションを発表する役割のプレゼンタによって操作される。様々な例示的実施形態で、マスタコンピュータ１４２は、制作されたメディアプレゼンテーションのプレゼンタが位置する任意の位置に配置される。
【０１４０】
様々な例示的実施形態で、複数のコンピュータが、本発明に対応するソフトウェアを実行する。様々な例示的実施形態で、一つまたはそれ以上の遠隔制御エージェント１４４、１４５、１４６および１４７が、本発明に対応するプログラムを実行するコンピュータに接続される。様々な例示的実施形態で、複数の遠隔制御エージェントの全てが、本発明に対応するプログラムを実行する一つまたはそれ以上のコンピュータに接続される。様々な例示的実施形態で、遠隔制御エージェントのうち、一つまたはそれ以上の遠隔制御エージェント１４４，１４５、１４６および１４７が、本発明に関係するコンピュータプログラムを実行しているマスタコンピュータ１４２に接続される。
【０１４１】
本発明のシステムおよび方法の様々な例示的実施形態で、制作されたメディアプレゼンテーションのプレゼンタがページダウンキーを押すと、同じ状態インデックスをもつ全ての状態、ホットスポット、ハイパースライドの関連付けが検査される。対照的に、単一チャネルプレゼンテーションツールは往々にして、ページダウンキーが押されたときに、スライドを一つのディスプレイ上で前に進めるだけである。本発明に係るシステムおよび方法の様々な例示的実施形態では、制作されたメディアプレゼンテーションのプレゼンタがページダウンキーを押すと、対応する再生コマンドが全ての関連する遠隔制御エージェント１４４，１４５、１４６および１４７に送られる。様々な例示的実施形態で、遠隔制御エージェント１４４、１４５、１４６および１４７は次に、取り付けられたメディアプレゼンテーション装置を制御する。
【０１４２】
したがって、本発明に係るシステムおよび方法の様々な例示的実施形態で、制作されたメディアプレゼンテーションは、一回のキーストロークまたは一回のマウスクリックにより、あるいは他の簡単な動作またはステップにより、複数のメディアプレゼンテーション装置を制御するプレゼンテーションのプレゼンタによって再生される。
【０１４３】
図１０は、本発明に係る統合メディアプレゼンテーション制作システム（アーキテクチャ）の例示的実施形態の概略図である。
【０１４４】
統合メディアプレゼンテーション制作システムアーキテクチャ１５０は、メディアプレゼンテーション制作、プレゼンテーション、およびプレビューソフトウェアコンポーネント１５２、ならびに一つまたはそれ以上の遠隔制御エージェント１５４を含む。メディアプレゼンテーション制作、プレゼンテーション、およびプレビューソフトウェアコンポーネント１５２は、ホットスポット管理コンポーネント１５６、ハイパースライド管理コンポーネント１５８、タイムライン管理コンポーネント１６０、再生リストコンポーネント１６２、プレゼンテーションプレビューコンポーネント１６４、およびプレゼンテーション再生コンポーネント１６６を含む。様々な例示的実施形態で、プレゼンテーションプレビューコンポーネント１６４およびプレゼンテーション再生コンポーネント１６６は、再生リストコンポーネント１６２の内容を読み出し、再生リストコンポーネント１６２から例えば本明細書で記載した関連付けのような関連付けを抽出し、制作メディアプレゼンテーション動作に対応する動作コマンドを一つまたはそれ以上の遠隔制御エージェント１５４に送る。
【０１４５】
様々な例示的実施形態で、遠隔制御エージェント１５４は、制作されたメディアプレゼンテーションで使用される一つまたはそれ以上のメディアプレゼンテーション装置が接続された全てのコンピュータで作動する。様々な例示的実施形態で、一つまたはそれ以上の遠隔制御エージェント１５４は、遠隔制御エージェント１５４を実行している各コンピュータの予め定められたポートで、制作されたメディアプレゼンテーションを監視する。様々な例示的実施形態で、一つまたはそれ以上の遠隔制御エージェント１５４は、メディアプレゼンテーション制作、再生およびプレビューソフトウェアコンポーネント１５２によって送られる動作コマンドを受け取る。様々な例示的実施形態で、動作コマンドを受け取ると、一つまたはそれ以上の遠隔制御エージェント１５４は外部アプリケーションを起動して、対応するメディアプレゼンテーション装置のための一つまたはそれ以上の出力を生成する。様々な例示的実施形態で、一つまたはそれ以上の遠隔制御エージェント１５４は、アプリケーション呼び出し器１６８に関連して外部アプリケーションを起動する。
【０１４６】
様々な例示的実施形態で、パワーポイントスライドをハイパースライドの一例として挙げると、一つまたはそれ以上の遠隔制御エージェント１５４は、マイクロソフトオートメーションテクノロジー（Microsoft automation technology）の自動化技術のような自動化技術を使用して、例えばマイクロソフトパワーポイントＸＰ（Ｒ）のようなソフトウェアパッケージを自動化する。様々な例示的実施形態で、一つまたはそれ以上の遠隔制御エージェント１５４は、ディスプレイ上で全画面ハイパースライドを表示するために、自動化技術を使用する。
【０１４７】
様々な例示的実施形態で、メディアプレゼンテーション制作、再生、およびプレビューコンポーネント１５２は、ドラッグアンドドロップサポートコンポーネント１７０、ホットスポットマッピングコンポーネント１７２、ＶＲＭＬサーバコンポーネント１７４、ビデオサーバコンポーネント１７６、パワーポイントファイル変換コンポーネント１７８、入力装置管理コンポーネント１８０、およびオートルールコンポーネント１８２とインタフェースするか、またはそれらを含む。ドラッグアンドドロップサポートコンポーネント１７０、ホットスポットマッピングコンポーネント１７２、ＶＲＭＬサーバコンポーネント１７４、ビデオサーバコンポーネント１７６、パワーポイントファイル変換コンポーネント１７８、入力装置管理コンポーネント１８０、およびオートルールコンポーネント１８２とインターフェースするか、あるいはこれらを含み、これらは本明細書に記載した本発明の様々な態様を実現するために利用される。
【０１４８】
以上に概説した例示的実施形態に関連して、本発明を説明した。公知であるかそれとも現在予見できないかに関係なく、様々な代替例、変化例、変形例、および／または改善は本発明の精神および範囲に含まれる。したがって、上述した本発明の例示的実施形態は例証であって、限定する意図はない。本発明の精神および範囲から逸脱することなく、様々な変化を施すことができる。したがって、本発明は全ての公知または今後開発される代替例、変化例、変形例、および／または改善を包含することを意図する。
【図面の簡単な説明】
【０１４９】
【図１】市販のメディアプレゼンテーション制作インタフェースの概略図である。
【図２】本発明に係るインターフェース装置が表示手段に表示させるメディアプレゼンテーション制作インタフェースの一つの例示的実施形態の概略図である。
【図３】本発明に係るインターフェース装置が表示手段に表示させるメディアプレゼンテーション制作インタフェースの第二の例示的実施形態の概略図である。
【図４】本発明に係るインターフェース装置が表示手段に表示させるメディアプレゼンテーション制作インタフェースの第三の例示的実施形態の概略図である。
【図５】本発明に係るインターフェース装置が表示手段に表示させるメディアプレゼンテーション制作インタフェースの第四の例示的実施形態の概略図である。
【図６】本発明に係るインターフェース装置が表示手段に表示させるメディアプレゼンテーション制作インタフェースの第五の例示的実施形態の概略図である。
【図７】本発明に係るインターフェース装置が表示手段に表示させるメディアプレゼンテーションシミュレーションインタフェースの例示的実施形態の概略図である。
【図８】本発明に係るメディアプレゼンテーション制作方法の例示的実施形態のフローチャートである。
【図９】本発明に従って制作されたメディアプレゼンテーションを再生するメディアプレゼンテーション再生モデルの例示的実施形態の概略図である。
【図１０】本発明に係る統合メディアプレゼンテーション制作システムの例示的実施形態の概略図である。
【符号の説明】
【０１５０】
１０  メディアプレゼンテーション制作インタフェース（従来技術）
１２  アニメーション順序およびタイミングウィジェット部
１４  アニメーションスライドオブジェクトリストおよび選択ウィジェット部
１６  アニメーション開始ウィジェット部
１８  コントロールタブ
２０  スライドオブジェクトプレビュー部
４０  メディアプレゼンテーション制作インタフェース（第１の実施形態）
５４  プレゼンテーション環境表示部
５９  ホットスポット
６０  メディアプレゼンテーション制作インタフェース（第２の実施形態）
６２  粒度レベル選択部
７０  メディアプレゼンテーション制作インタフェース（第３の実施形態）
７２  メディアプレゼンテーション環境表示部
８０  メディアプレゼンテーションインタフェース（第４の実施形態）
８２  メディアプレゼンテーション環境表示部
８４  ハイパースライドリストウィジェット部
８６  メディアプレゼンテーション制作ウィジェット部
１００  メディアプレゼンテーションインタフェース（第５の実施形態）
１０２  ハイパースライドリストウィジェット部
１０４  メディア装置リストウィジェット部
１０６  メディアプレゼンテーション環境表示部
１０８  メディアプレゼンテーション装置‐時間表ウィジェット部
１３０  メディアプレゼンテーションシミュレーションインタフェース
１３２  メディアプレゼンテーション環境表示部
１３４  メディアプレゼンテーション概要部
１３６  メディアプレゼンテーション移動ウィジェット部
１３８  強調表示部
１４１  メディアプレゼンテーション再生モデル
１４２  マスタコンピュータ
１５０  統合メディアプレゼンテーション制作システム（アーキテクチャ）
１５２  メディアプレゼンテーション制作、プレゼンテーション、およびプレビューソフトウェアコンポーネント
１５４  遠隔制御エージェント
【図１】
2005209196.tif 000003
【図２】
2005209196.tif 000004
【図３】
2005209196.tif 000005
【図４】
2005209196.tif 000006
【図５】
2005209196.tif 000007
【図６】
2005209196.tif 000008
【図７】
2005209196.tif 000009
【図８】
2005209196.tif 000010
【図９】
2005209196.tif 000011
【図１０】
2005209196.tif 000012